【事件の表示】
　特願２００３−３３７２４０「モジュールカム」拒絶査定不服審判事件〔平成１７年　４月２１日出願公開、特開２００５−１０３５６５〕について、次のとおり審決する。
【結　論】
　本件審判の請求は、成り立たない。
【理　由】
第１．手続の経緯
　本願は、平成１５年９月２９日の出願であって、平成２１年８月２５日付け拒絶理由通知に応答して同年１０月２０日付けで第１回目の手続補正がなされ、平成２２年４月１３日付け拒絶理由通知に応答して同年６月８日付けで第２回目の手続補正がなされ、同年１０月２２日付けで、当該第２回目の手続補正を却下する旨の補正の却下の決定がされ、同日付けで拒絶査定がなされた。
　これに対し、平成２３年１月２１日に拒絶査定不服審判の請求がなされるとともに、同日付けで第３回目の手続補正がなされ、当審による同年４月２８日付けの審尋に対して、同年７月１日付けで回答書が提出されたものである。
　
　
第２．平成２３年１月２１日付けの手続補正についての補正却下の決定
　
［補正却下の決定の結論］
　平成２３年１月２１日付け手続補正（以下、「本件補正」という。）を却下する。
　
［理由］
１．補正の内容の概要 
　本件補正は、平成２１年１０月２０日付けで補正された特許請求の範囲及び明細書をさらに補正するとともに、願書に最初に添付した図面を補正するものであって、特許請求の範囲の請求項１に関する以下の補正を含んでいる。なお、下線部は補正箇所を示す。
　　
　（１）＜本件補正前の請求項１＞ 
「金型の上型と下型との間に装着され、前記上型に固定されて上下移動されるカムドライバと、該カムドライバの上下移動によりカム面に沿って所望方向に移動されるカムスライダと、該カムスライダを移動自在に保持し前記下型側に固定されるカムベースとで一つのカムユニットとして保管・管理される据置き型のモジュールカムにおいて、
　前記カムベースには、前記下型に取り付け固定するための固定部が一体にして設けられると共に、前記固定部の前端部からカムスライダ前進方向に沿って延設部を設け、更に上方に向けて前記延設部を延ばしてその上端部に、前記カムスライダの工具取付面に対向する工具用
の
　前記カムスライダには、その工具取付面にリテーナ及び工具が固定されており、
　前記カムベースの受け台と前記カムスライダの工具とは、前記金型にこのカムモジュールが取り付けられる前に芯合わせできること、
　を特徴とするモジュールカム。」
　
　（２）＜本件補正後の請求項１＞ 
「
ワークに孔を明ける孔明けプレス加工用の
１以上
　前記カムベースには、前記下型に取り付け固定するための
もので一体化によって断面欠損が少なくなったことで前記下型への取付用ボルト孔の径を当該カムベースと別体にされているときよりも太径にできる
剛性を高めて
で断面Ｌ字型形状にして一体に設けられる
該受け台取付部に取り付けられパンチ用の孔を有した
　前記カムスライダには、その工具取付面にリテーナ及び
パンチ用の
孔明けプレス加工用の
　を特徴とするモジュールカム。」
　
　
２．補正の適否
　本件補正のうち特許請求の範囲の請求項１についてする補正は、請求項１に記載した発明を特定するために必要な事項である「金型」を「ワークに孔を明ける孔明けプレス加工用」と限定し、上型と下型との間に装着されるモジュールカムを「１以上」と特定し、「固定部」を「一体化によって断面欠損が少なくなったことで下型への取付用ボルト孔の径を当該カムベースと別体にされているときよりも太径にできる」と限定し、「固定部が一体にして設けられ」ることを「固定部が一体にして剛性を高めて設けられる」と限定し、「受け台取付部」を「断面Ｌ字型形状にして一体に設けられる」と限定し、「受け台」を「該受け台取付部に取り付けられパンチ用の孔を有した」と限定し、「工具」を「パンチ用の」と限定するものであるので、本件補正は、平成１８年法律第５５号改正附則第３条第１項によりなお従前の例とされる同法による改正前の特許法（以下、「改正前特許法」という。）第１７条の２第４項第２号の特許請求の範囲の減縮を目的とするものに該当する。
　そこで、本件補正後の請求項１に記載された発明（以下、「本件補正発明」という。）が特許出願の際独立して特許を受けることができるものであるか（改正前特許法第１７条の２第５項において準用する同法第１２６条第５項の規定に適合するか。）について以下に検討する。
　
　（１）本件補正発明
　本件補正発明は、本件補正により補正された明細書及び図面の記載からみて、上記１．（２）に示すとおりのものである。
　
　（２）引用刊行物の記載事項及び引用刊行物記載の発明
　本願出願前に日本国内において頒布され、原査定の拒絶の理由に引用された刊行物である特開２００３−８０３２６号公報（以下、「刊行物１」という。）及び特開昭６１−２５５７２６号公報（以下、「刊行物２」という。）には、以下の事項及び発明が記載されている。
　
ア．刊行物１記載の事項及び刊行物１記載の発明
　（ア）段落【０００２】ないし【０００４】
「【０００２】
【従来の技術】従来、移動金型と固定金型とに取り付けられるもので、カムベース，カムドライバー及びカムスライダーからなるカムユニットとしては、図５に示すように、全体幅の狭い小型の吊りカムユニットとして、・・・（中略）・・・が知られている。
【０００３】・・・（後略）
【０００４】更に、水平カムユニットとしては、図７に示すように、固定金型側に固着されるカムベース１１ｂと、移動金型側に固着されるカムドライバー１２ｃと、カムスライダー１３ｂ及び下スライダー１３ｄと、強制戻しフォロアー１６とから構成されているものが知られている。」
　
　（イ）段落【０００５】
「【０００５】
【発明が解決しようとする課題】しかしながら、上記の吊りカムユニット若しくは水平カムユニットにおいて、例えば、図８に示すように、ボディフレームに穴を開ける工具として、リテーナ１７及びパンチ１８をカムスライダー１３の工具取付面１３ｃに取り付けられると、・・・（後略）・・・」
　
　（ウ）図７及び図１１の図示
　従来例に係る水平カムユニットの正面図である図７、及び従来例に係る水平カムユニットであって、カムベースの分解斜視図である図１１には、「カムベース１１ｂ」の下方部分が単一の部品として構成されていることの図示がある。
　
　（エ）刊行物１記載の発明
　上記（イ）には、「水平カムユニット」を「ボディフレームに穴を開ける工具」として「リテーナ１７及びパンチ１８をカムスライダー１３の工具取付面１３ｃに取り付け」ることが示されており、当該「水平カムユニット」が、上記（ア）及び（ウ）に示す図７の水平カムユニットを意味することは、明らかである。
　
　そこで、以上の記載事項を、技術常識を踏まえつつ本件補正発明に照らして整理すると、刊行物１には次の発明（以下、「刊行物１記載の発明」という。）が記載されていると認める。
「プレス金型における、ボディフレームに穴を開けるために使用され、移動金型と固定金型との間に固着されるカムユニットであって、移動金型側に固着されるカムドライバー１２ｃと、カムスライダー１３ｂと、固定金型側に固着されるカムベース１１ｂとで一つのカムユニットとして構成される水平カムユニットにおいて、
　前記カムベース１１ｂの下方部分が単一の部品として構成されており、
　前記カムスライダーには、その工具取付面にリテーナ及びパンチが取り付けられている、
　カムユニット。」
　
イ．刊行物２記載の事項
　（ア）第１ページ左下欄第１９行ないし右上欄第２行
「
産業上の利用分野
　この発明は湾曲した曲面部を有する被穴明け部材の曲面部に穴明けを行う穴明け装置に関するものである。」
　
　（イ）第２ページ右上欄第３ないし２０行
「第１図乃至第３図は本考案に係る穴明け装置の一実施例を示す図面で、同図において、（１０）はプレス機の下型（図示せず）に取付けられるベースで、・・・（中略）・・・さらに外周縁部にバックアップ部（１２）と同芯上に縦壁（１３）を形成し、当該縦壁（１３）の上面の適当個所に取付フランジ（１４）（１４）…を一体に形成してある。またベース（１０）の中間部の平坦なスライド面（１０ａ）には・・・（中略）・・・多数の案内溝（１５）（１５）…を形成し、当該案内溝（１５）（１５）…に夫々長尺なロアガイド（１６）（１６）…を取付けてある。」
　
　（ウ）第２ページ左下欄第１ないし１６行
「（１７）（１７）…はベース（１０）のスライド面（１０ａ）上に放射状にスライド可能に載置した受動カムで・・・（中略）・・・ある。また受動カム（１７）は中心側上面にテーパ案内面（１８）を形成し、且つ上下面に夫々長手方向に沿ってスライド溝（１９）（２０）を形成してある。そしてこの受動カム（１７）は下部スライド溝（２０）をベース（１０）に取付けられたロアーガイド（１６）にスライド自在に被嵌させ・・・（中略）・・・てある。」
　
　（エ）第２ページ左下欄第２０行ないし右下欄第１５行
「（２４）（２４）…は各受動カム（１７）（１７）…の外径側端面にリテーナ（２５）（２５）…を介して取付けた穴明け用ポンチである。
  （２６）（２６）…はベース（１０）の縦壁（１３）上に取付けられ、ワークを支持するエッジで、下面一部に嵌合溝（２７）を形成し、当該嵌合溝（２７）を縦壁（１３）に形成された取付フランジ（１４）に嵌合させてボルト等で固定してある。このエッジ（２６）（２６）…は適当な長さを有し、その中心側端面（２６ａ）をワークの曲面と相似或いは近似する形状に形成する。そして各エッジ（２６）（２６）…のポンチ（２４）（２４）…と対向する位置にポンチ（２４）（２４）…が入るためのポンチ孔（２８）（２８）…を穿設し、当該ポンチ孔（２８）（２８）…にガイドブッシュ（２９）（２９）…を圧入固定してある。」
　
　（オ）第２ページ右下欄第１６行ないし第３ページ左上欄第３行
「（３０）はプレス機の上型に取付けられるカムドライバーで、ベース（１０）のバックアップ部（１２）と受動カム（１７）（１７）…との間に侵入する半円筒形の押圧部（３１）を形成し、当該押圧部（３１）の下部外径面側に受動カム（１７）のテーパ案内面（１８）と対応するテーパ押圧面（３２）を形成し・・・（中略）・・・てある。」
　
　（カ）第３ページ左上欄第１０行ないし右上欄第３行
「上記の如き穴明け装置は、ワーク（３５）を・・・（中略）・・・支持させる。この後、上型を下降させて・・・（中略）・・・テーパ押圧面（３２）にて受動カム（１７）（１７）…のテーパ案内面（１８）（１８）…を押圧して・・・（中略）・・・各受動カム（１７）（１７）…に取付けたポンチ（２４）（２４）…にてワーク（３５）に穴を明ける。」
　
　（キ）第１図の図示
　第１図には、「ベース（１０）」の外周縁部側が左側に描かれており、「受動カム（１７）」の前進方向が左方向に描かれていること、「取付けフランジ（１４）」の断面形状がＬ字型形状であることの図示がある。
　
　（ク）刊行物２記載の技術的事項
　以上の記載事項を、技術常識を踏まえつつ本件補正発明に照らして整理すると、刊行物２には次の技術的事項発明（以下、「刊行物２記載の技術的事項」という。）が記載されていると認める。
「ワーク（３５）に穴を明ける穴明け装置であって、プレス機の上型に取付けられるカムドライバー（３０）と、該カムドライバー（３０）の上下移動によりテーパ案内面（１８）に沿って移動される受動カム（１７）と、該受動カム（１７）を移動自在に保持し、プレス機の下型に取付けられるベース（１０）とを有する穴明け装置において、
　前記ベース（１０）の外周縁部に縦壁（１３）を形成し、縦壁（１３）の上面の断面形状がＬ字型形状の取付フランジ（１４）上には、ポンチ（２４）が入るポンチ孔（２８）を穿設したエッジ（２６）が取付けられ、
　前記受動カム（１７）の外周側端面にリテーナ（２５）を介して穴明け用ポンチ（２４）を取付けた穴明け装置。」
　
　
　（３）対比
　本件補正発明と刊行物１記載の発明とを対比すると、刊行物１記載の発明の「ボディフレーム」が本件補正発明の「ワーク」に相当し、「穴」が「孔」に相当し、「プレス金型」が「ワークに孔を明ける孔明けプレス加工用の金型」に相当し、「移動金型」が「上型」に相当し、「固定金型」が「下型」に相当し、「カムドライバー」が「カムドライバ」に相当し、「カムスライダー」が「カムスライダ」に相当し、「固着」が「固定」に相当し、「リテーナ及びパンチが取り付けられている」ことが「リテーナ及びパンチ用の工具が固定されて」いることに相当することや、刊行物１記載の発明のカムユニットがプレス金型の間に１以上装着されていることは、明らかである。
　また、刊行物１記載の発明の「カムスライダー」がカム面に沿って移動することは、当業者にとって自明であるから、「カム面に沿って移動される」という点で、本件補正発明の「カムスライダ」が「カム面に沿って所望方向に移動される」ことと共通する。
　また、刊行物１記載の発明の「水平カムユニット」は、「カムユニットであるカム装置」という点で、本件補正発明の「据置き型のモジュールカム」と共通する。
　
　以上から、本件補正発明と刊行物１記載の発明とは、以下の点で一致及び相違する。
　
＜一致点＞
「ワークに孔を明ける孔明けプレス加工用の金型の上型と下型との間に１以上装着され、前記上型に固定されて上下移動されるカムドライバと、該カムドライバの上下移動によりカム面に沿って移動されるカムスライダと、該カムスライダを移動自在に保持し前記下型側に固定されるカムベースとで一つのカムユニットであるカム装置において、
　前記カムスライダには、その工具取付面にリテーナ及びパンチ用の工具が固定されている、
　カムユニットであるカム装置。」
　
＜相違点１＞
　本件補正発明の「カムスライダ」は、「カム面に沿って所望方向に移動される」のに対して、刊行物１記載の発明の「カムスライダ−」は、カム面に沿って移動するものの、移動の方向が「所望方向」かどうか、不明である点。
　
＜相違点２＞
　本件補正発明は、「一つのカムユニットとして保管・管理される据置き型のモジュールカム」であるのに対して、刊行物１記載の発明は、「水平カムユニット」である点。
　
＜相違点３＞
　本件補正発明の「カムベース」は、「下型に取り付け固定するためのもので一体化によって断面欠損が少なくなったことで前記下型への取付用ボルト孔の径を当該カムベースと別体にされているときよりも太径にできる固定部が一体にして剛性を高めて設けられる」ものであるのに対して、刊行物１記載の発明の「カムベース」は、「下方部分が単一の部品として構成されて」いる点。
　
＜相違点４＞
　本件補正発明は、「カムベース」が、「固定部の前端部からカムスライダ前進方向に沿って延設部を設け、更に上方に向けて前記延設部を延ばしてその上端部に、前記カムスライダの工具取付面に対向する工具用で断面Ｌ字型形状にして一体に設けられる受け台取付部及び該受け台取付部に取り付けられパンチ用の孔を有した受け台が設けられ」ており、また、「前記カムベースの受け台と前記カムスライダの工具とは、孔明けプレス加工用の金型にこのカムモジュールが取り付けられる前に芯合わせできる」のに対して、刊行物１記載の発明は、「カムベース」にパンチ用の孔を有した受け台が設けることの開示がなく、また、プレス加工用の金型にカムモジュールを取り付けられる前に芯合わせできることについての開示もない点。
　
　（４）各相違点の判断
ア．相違点１について
　本件補正発明における「該カムドライバの上下移動によりカム面に沿って所望方向に移動されるカムスライダ」という発明特定事項は、カムスライダがカム面に沿って移動することと、カムスライダが所望方向に移動することとの二つの意味を有するところ、カムスライダがカム面に沿う方向とは無関係の所望方向に移動することは、技術常識を考慮すれば、考えられない。そうすると、上記の発明特定事項は、カムスライダがカム面に沿って移動することを前提として、そのカムスライダの移動の方向を、所望方向に設定することを意味していると考えざるを得ない。
　刊行物１記載の発明の「カムスライダ−」は、カム面に沿って移動するものであって、そのカムスライダの移動の方向をどのような方向に設定するかは、当業者が適宜に決定すればよい程度の事項であるから、刊行物１記載の発明の「カムスライダ−」を「カム面に沿って所望方向に移動される」ように構成することは、当業者にとって容易である。
　
イ．相違点２について
　刊行物１記載の発明の「カムユニット」は、上記（２）ア．（ア）に摘示するように、「カムベース，カムドライバー及びカムスライダーからなるカムユニット」なのであって、「カムベース，カムドライバー及びカムスライダー」を「ユニット」すなわち、一つの構成単位として認識しうるものである。
　そして、そのように「カムユニット」を一つの構成単位として認識する以上、それらの保管や管理についても、一つの構成単位として扱うことは、当業者にとって当然に行われる程度の事項といえる。
　さらに、刊行物１記載の発明の「水平」型のカム装置は、「据置き型」のカム装置として表現しうることは、改めて例示するまでもない周知の技術的事項である。
　以上から、刊行物１記載の発明の「水平カムユニット」を、「一つのカムユニットとして保管・管理される据置き型のモジュールカム」として構成することは、当業者にとって容易である。
　
ウ．相違点３について
　本件補正発明における「前記カムベースには、前記下型に取り付け固定するためのもので一体化によって断面欠損が少なくなったことで前記下型への取付用ボルト孔の径を当該カムベースと別体にされているときよりも太径にできる固定部が一体にして剛性を高めて設けられる」という発明特定事項は、「カムベース」と、「前記下型に取り付け固定するための」「固定部」とが、一体であることを少なくとも意味しており、結局、カムベースにおいて、下型に取付け固定する部分が、単一の部品で構成されることを示しているといえる。
　そして、刊行物１記載の発明の「カムベース」は、上記（２）ア．（エ）に摘示するように、下方部分が単一の部品として構成されているし、上記（２）ア．（ア）に摘示するように、当該「カムベース」は、「固定金型側に固着される」のであるから、「カムベース」の下方部分が、下型に取付け固定する部分にあたるということができ、刊行物１記載の発明の「カムベース」は、下型に取付け固定する部分が、単一の部品で構成されることになっている。
　さらに、刊行物１記載の発明の「カムベース」は、下型に取付け固定する部分が、単一の部品で構成されているのであるから、下型に取付け固定する部分が別体であると仮定したものと比較すれば、そのような別体を固定するためのボルト孔が不要となることから、断面欠損が相対的に少なくなっているということができるし、剛性も相対的に高くなっているといえる。
　そして、カム装置を金型に固定する手段として、ボルトで固定する手段が存在することは、改めて例示するまでもない周知の技術的事項であって、刊行物１記載の発明の「カムベース」が、下型に取付け固定する部分が別体であると仮定したものと比較すれば、断面欠損が少なくなっており、剛性も高くなっているということができるのであるから、上記の別体であると仮定したものと比較すれば、型への取付用ボルト孔の径を相対的に太径にできるといわざるを得ない。
　以上から、刊行物１記載の発明の「カムベース」を、「前記下型に取り付け固定するためのもので一体化によって断面欠損が少なくなったことで前記下型への取付用ボルト孔の径を当該カムベースと別体にされているときよりも太径にできる固定部が一体にして剛性を高めて設けられる」ように構成することは、当業者にとって、格別に困難な事項ではない。
　
エ．相違点４について
　相違点４を検討するために、上記２．イ（ク）に示す刊行物２記載の技術的事項を参照すると、刊行物２記載の技術的事項の「ワーク」が本件補正発明の「ワーク」に相当し、「プレス機の上型」が「孔明けプレス加工用の金型の上型」に相当し、「カムドライバー」が「カムドライバ」に相当し、「テーパ案内面」が「カム面」に相当し、「受動カム」が「カムスライダ」に相当し、「プレス機の下型」が「下型」に相当し、「受動カムの外周側端面」が「工具取付面」に相当し、「リテーナ」が「リテーナ」に相当し、「ポンチ」が「パンチ」に相当し、「ポンチ孔」が及び「パンチ用の孔」に相当し、「ポンチ孔を穿設したエッジ」が「カムスライダの工具取付面に対向する工具」及び「パンチ用の孔を有した受け台」に相当することは、明らかである。
　また、刊行物２記載の技術的事項の「ベース」は、「プレス機の下型」に固定されており、「受動カム」を移動自在に保持しているから、本件補正発明の「カムベース」に相当する。
　そして、刊行物２記載の技術的事項の「ベースの外周縁部」は、「受動カム」の前進方向であるから、本件補正発明の「カムスライダ前進方向に沿って」設けた「延設部」に相当し、「縦壁」は、上方に延びているから、「更に上方に向けて」「延設部を延ばして」いることに相当し、「取付フランジ」は、「縦壁」の上端部に一体に設けられているうえに、断面形状がＬ字型形状であるから、「断面Ｌ字型形状にして一体に設けられる受け台取付部」に相当する。
　さらに、刊行物２記載技術的事項の「穴明け装置」は、「カム装置」という点で本件補正発明の「モジュールカム」と共通し、刊行物２記載の技術的事項の「穴明け装置」が金型の上型と下型との間に１以上装着されていることは明らかである。
　
　そうすると、刊行物２記載の技術的事項において、本件補正発明の発明特定事項に相当する事項を、本件補正発明の用語を用いて表現すれば、刊行物２記載の技術的事項は、
　
「ワークに孔を明ける孔明けプレス加工用の金型の上型と下型との間に１以上装着され、前記上型に固定されて上下移動されるカムドライバと、該カムドライバの上下移動によりカム面に沿って移動されるカムスライダと、該カムスライダを移動自在に保持し前記下型側に固定されるカムベースとを有するカム装置において、
　前記カムベースには、カムスライダ前進方向に沿って延設部を設け、更に上方に向けて前記延設部を延ばしてその上端部に、前記カムスライダの工具取付面に対向する工具用で断面Ｌ字型形状にして一体に設けられる受け台取付部及び該受け台取付部に取り付けられパンチ用の孔を有した受け台が設けられ、
　前記カムスライダには、その工具取付面にリテーナ及びパンチ用の工具が固定されている、
　カム装置。」
　
となり、上記相違点４における、「カムベース」に「カムスライダ前進方向に沿って延設部を設け、更に上方に向けて前記延設部を延ばしてその上端部に、前記カムスライダの工具取付面に対向する工具用で断面Ｌ字型形状にして一体に設けられる受け台取付部及び該受け台取付部に取り付けられパンチ用の孔を有した受け台が設けられ」ている点は、刊行物２記載の技術的事項に示されているといえる。
　刊行物１及び２は、いずれも、ワークに孔を明ける孔明けプレス加工用の金型の上型と下型との間に装着されるカム装置として共通するから、刊行物１記載の発明の「カムベース」に、刊行物２記載の技術的事項に示すような「延設部」や「受け台取付部」、「受け台」を設けることは、当業者にとって格別に困難な事項ではないし、そのように「延設部」を設けるとすれば、「カムベース」の前端部、すなわち「固定部」の前端部に設けられることは当然である。
　そして、刊行物１記載の発明の「カムベース」に「延設部」や「受け台取付部」、「受け台」を設ければ、カムスライダのパンチと、カムベースのパンチ用の孔を有した受け台との間の芯合わせを行わなければならないことは、当然であるし、刊行物１記載の発明の「カムユニット」は、上記イ．で説示したとおり、「ユニット」すなわち、一つの構成単位として認識しうるものである以上、カムスライダのパンチと、カムベースのパンチ用の孔を有した受け台との間の芯合わせについても、一つの構成単位としてのカムスライダとカムベースとの間でなし得るから、上記相違点４における「前記孔明けプレス加工用の金型にこのカムモジュールが取り付けられる前に芯合わせできる」事項は、刊行物１記載の発明の「カムベース」に「延設部」や「受け台取付部」、「受け台」を設けることに伴って、必然的に行われるべき技術的事項であるとえる。
　以上から、刊行物１記載の発明において、「カムベース」が、「前記固定部の前端部からカムスライダ前進方向に沿って延設部を設け、更に上方に向けて前記延設部を延ばしてその上端部に、前記カムスライダの工具取付面に対向する工具用で断面Ｌ字型形状にして一体に設けられる受け台取付部及び該受け台取付部に取り付けられパンチ用の孔を有した受け台が設けられ」ており、また、「前記カムベースの受け台と前記カムスライダの工具とは、前記孔明けプレス加工用の金型にこのカムモジュールが取り付けられる前に芯合わせできる」ように構成することは、刊行物２記載の技術的事項に基づいて、当業者が容易になし得たものである。
　
　（５）補正の適否についてのむすび
　以上のとおり、本件補正発明は、刊行物１記載の発明、並びに刊行物２記載の技術的事項及び周知の技術的事項に基づいて、当業者が容易に発明できたものであるから、特許法第２９条第２項の規定により、特許出願の際独立して特許を受けることができない。
　
　したがって、本件補正は、改正前特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願発明
　本件補正は、上記のとおり却下されたので、本願の請求項１に係る発明（以下、「本願発明」という）は、平成２１年１０月２０日付けで補正された特許請求の範囲及び明細書並びに願書に最初に添付した図面の記載からみて、上記第２．１．（１）に示すとおりのものである。
　
２．引用刊行物の記載事項及び引用刊行物記載の発明
　原査定の拒絶の理由に引用された刊行物、及びその記載事項は、上記第２．２．（２）に記載したとおりである。
　
３．対比
　本願発明は、前記２．１．（２）に補正後の発明として記載した発明、すなわち本件補正発明から、上記第２．２で指摘した各限定事項を省いたものである。
　そうすると、本願発明の発明特定事項をすべて含み、さらに、他の発明特定事項を付加したものに相当する本件補正発明が、上記第２．２．（５）に記載したとおり、刊行物１記載の発明、並びに刊行物２記載の技術的事項及び周知の技術的事項に基づいて、当業者が容易に発明できたものであるから、本願発明も同様に、刊行物１記載の発明、並びに刊行物２記載の技術的事項及び周知の技術的事項に基づいて、当業者が容易に発明できたものである。
　
４．むすび
　以上のとおり、本願発明は、刊行物１記載の発明、並びに刊行物２記載の技術的事項及び周知の技術的事項に基づいて、当業者が容易に発明できたものであるから、特許法第２９条第２項の規定により、特許を受けることができない。
　
　したがって、本願は、他の請求項について検討するまでもなく、拒絶すべきものである。
　
　よって、結論のとおり審決する。